(57)【要約】【課題】装着封止手段による封止を解除して取付ベースから基板ケースを取り外した後も、その取付ベースを使用することが可能な遊技機を提供する。【解決手段】基板ケース１４を取付ベース３０に封止する装着封止手段４７，４８を備えた遊技機で、装着封止手段４７，４８は、取付ベース３０上の係合部１３７，１３８と、基板ケース１４上の突起部１０８，７０とで構成されると共に、基板ケース１４が取付ベース３０に装着された状態で突起部１０８，７０が係合部１３７，１３８に係合して取り外し方向の移動を阻止するように構成され、基板ケース１４上には、基板ケース１４が取付ベース３０に装着された状態で外部から損壊可能な被損壊部６９等が一体に設けられ、その被損壊部６９等が損壊されることにより、突起部１０８，７０の係合部１３７，１３８に対する係合を解除可能となるように構成されているものである。【選択図】図７
2011156143.tif 000002
【特許請求の範囲】
【請求項１】
基板（１３）を格納可能な基板ケース（１４）と、当該遊技機の所定箇所に固定され且つ前記基板ケース（１４）を装着可能な取付ベース（３０）と、前記基板ケース（１４）を前記取付ベース（３０）に対して装着状態で封止する装着封止手段（４７，４８）とを備えた遊技機において、前記装着封止手段（４７，４８）は、前記取付ベース（３０）上の係合部（１３７，１３８）と、前記基板ケース（１４）上の突起部（１０８，７０）とで構成されると共に、前記基板ケース（１４）が前記取付ベース（３０）に装着された状態で、前記突起部（１０８，７０）が前記係合部（１３７，１３８）に係合して、前記基板ケース（１４）の前記取付ベース（３０）に対する取り外し方向の移動を阻止するように構成され、前記基板ケース（１４）上には、前記基板ケース（１４）が前記取付ベース（３０）に装着された状態で外部から損壊可能な被損壊部（９２，６９，９０ａ〜９０ｄ）が一体に設けられ、その被損壊部（９２，６９，９０ａ〜９０ｄ）が損壊されることにより、前記突起部（１０８，７０）の前記係合部（１３７，１３８）に対する係合を解除可能となるように構成されていることを特徴とする遊技機。
【請求項２】
前記係合部（１３７，１３８）は、前記突起部（１０８，７０）に係合しない退避状態側に弾性変形可能であり、前記基板ケース（１４）を前記取付ベース（３０）に装着する際に、前記突起部（１０８，７０）に押されて前記退避状態に弾性変形した後、前記突起部（１０８，７０）に係合して前記取り外し方向の移動を阻止するように構成されていることを特徴とする請求項１に記載の遊技機。
【請求項３】
前記基板ケース（１４）は、前記取付ベース（３０）に対して所定の装着スライド方向に相対的にスライドさせることにより、装着状態が保持されない装着アンロック状態と保持される装着ロック状態とを切り換え可能であり、前記装着アンロック状態から前記装着ロック状態にスライドさせる際に、前記係合部（１３７，１３８）が前記突起部（１０８，７０）に押されて前記退避状態に弾性変形した後に前記突起部（１０８，７０）に係合して前記装着アンロック状態側へのスライドを阻止するように構成されていることを特徴とする請求項４に記載の遊技機。
【請求項４】
前記突起部（１０８）は前記被損壊部（９２）を介して前記基板ケース（１４）上に保持され、前記被損壊部（９２）が損壊されることにより前記突起部（１０８）が前記基板ケース（１４）から除去され、前記突起部（１０８）の前記係合部（１３７）に対する係合が解除されるように構成されていることを特徴とする請求項１〜３の何れかに記載の遊技機。
【請求項５】
前記突起部（１０８）は装着封止部材（３４）上に一体に形成され、前記装着封止部材（３４）が前記基板ケース（１４）に装着された状態で前記基板ケース（１４）から前記取付ベース（３０）側に突出するように構成されていることを特徴とする請求項４に記載の遊技機。
【請求項６】
前記突起部（７０）は前記基板ケース（１４）に一体に形成され、前記被損壊部（６９）が損壊されることにより、前記係合部（１３８）が外部から前記退避状態に変形操作可能となるように構成されていることを特徴とする請求項２又は３に記載の遊技機。
【請求項７】
前記基板ケース（１４）を構成する甲ケース体（３１）と乙ケース体（３２）とを閉状態で封止すると共に前記被損壊部（９０ａ〜９０ｄ）を損壊することにより前記基板ケース（１４）から切り離される閉鎖封止部材（３３）を備え、この閉鎖封止部材（３３）に前記突起部（１０８）を一体に設け、前記閉鎖封止部材（３３）により前記基板ケース（１４）を封止した状態で前記突起部（１０８）が前記基板ケース（１４）から前記取付ベース（３０）側に突出し、前記被損壊部（９０ａ〜９０ｄ）が損壊されて前記閉鎖封止部材（３３）による封止が解除されることにより前記突起部（１０８）の前記係合部（１３７）に対する係合が解除されるように構成されていることを特徴とする請求項１〜４の何れかに記載の遊技機。
【発明の詳細な説明】
【技術分野】
【０００１】
本発明は、パチンコ機、スロットマシン等の遊技機に関するものである。
【背景技術】
【０００２】
パチンコ機、スロットマシン等の遊技機では、各種制御基板等が基板ケースに格納された状態で本体裏側等に装着されている。一般的な基板ケースは、甲ケース体と乙ケース体とを嵌め合わせることにより略箱形となるように構成され、遊技機筐体に固定された取付ベースに対して着脱自在に装着されている。
【０００３】
そのような基板ケースには、内部の制御基板に対する不正防止等を目的として、閉状態で現状復帰不能に封止する閉鎖封止手段を備えたものが存在する。この閉鎖封止手段は、乙ケース体側に設けられた閉鎖封止部材を甲ケース体側の被結合部に現状復帰不能に結合させることにより、甲ケース体と乙ケース体とを閉状態で封止し、開封する際には、封止部材を乙ケース体側に連結している被損壊部を損壊することにより、封止部材を乙ケース体から切り離して甲ケース体と乙ケース体との結合を解除するように構成されたものが一般的である。
【０００４】
また、遊技機の中には、基板ケースを取付ベースに対して現状復帰不能に封止する装着封止手段を設けたものも存在する。例えば特許文献１に記載の遊技機に搭載された装着封止手段は、閉鎖封止手段と基本的に同じ構成を有しており、基板ケース側に設けられた封止部材を取付ベース側の被結合部に現状復帰不能に結合させることにより、基板ケースを取付ベースに対して装着状態で封止し、基板ケースを取り外す際には、封止部材を基板ケース側に連結している被損壊部を損壊することにより、封止部材を基板ケースから切り離して基板ケースと取付ベースとの結合を解除するようになっている。
【先行技術文献】
【特許文献】
【０００５】
【特許文献１】特開２００９−２４７８３７号公報
【発明の概要】
【発明が解決しようとする課題】
【０００６】
ところで、閉鎖封止手段を備えた基板ケースについては、封止を解除した場合には原則として新しいものと交換する必要があるが、取付ベースについては、必ずしも基板ケースと共に交換する必要はない。
【０００７】
しかしながら、装着封止手段を備えた従来の遊技機では、基板ケースを開封する前段階として、装着封止手段による封止が解除されて基板ケースが取付ベースから取り外されると、取付ベースの被結合部に封止部材が結合したままの状態で残ってしまうため、その後に新しい基板ケースを取り付けることができず、従って開封による基板ケースの交換の際には取付ベースも新しいものと交換する必要があった。
【０００８】
本発明は、上記事情に鑑みてなされたものであり、装着封止手段による封止を解除して取付ベースから基板ケースを取り外した後も、その取付ベースを使用することが可能な遊技機を提供することを目的とする。
【課題を解決するための手段】
【０００９】
本発明は、基板１３を格納可能な基板ケース１４と、当該遊技機の所定箇所に固定され且つ前記基板ケース１４を装着可能な取付ベース３０と、前記基板ケース１４を前記取付ベース３０に対して装着状態で封止する装着封止手段４７，４８とを備えた遊技機において、前記装着封止手段４７，４８は、前記取付ベース３０上の係合部１３７，１３８と、前記基板ケース１４上の突起部１０８，７０とで構成されると共に、前記基板ケース１４が前記取付ベース３０に装着された状態で、前記突起部１０８，７０が前記係合部１３７，１３８に係合して、前記基板ケース１４の前記取付ベース３０に対する取り外し方向の移動を阻止するように構成され、前記基板ケース１４上には、前記基板ケース１４が前記取付ベース３０に装着された状態で外部から損壊可能な被損壊部９２，６９，９０ａ〜９０ｄが一体に設けられ、その被損壊部９２，６９，９０ａ〜９０ｄが損壊されることにより、前記突起部１０８，７０の前記係合部１３７，１３８に対する係合を解除可能となるように構成されているものである。
【発明の効果】
【００１０】
本発明によれば、基板ケース１４の取り外し後も取付ベース３０は基板ケース１４が装着、封止される前の状態と何ら異なるところはないため、例えば取り外した基板ケース１４を新たな基板ケース１４に交換する場合であっても、取付ベース３０については交換することなくそのまま使用することが可能である。
【図面の簡単な説明】
【００１１】
【図１】本発明の第１の実施形態を示すスロットマシンの全体斜視図である。
【図２】同じく本体ケースの正面図である。
【図３】同じく取付ベース及び主基板ケースユニットの正面図である。
【図４】同じく主基板ケースユニットの側面図である。
【図５】同じく主基板ケースユニット及び取付ベースの分解斜視図である。
【図６】同じく主基板ケースユニットの要部分解斜視図である。
【図７】同じく主基板ケースユニット及び取付ベースの要部分解斜視図である。
【図８】同じく裏ケース体、表ケース体、閉鎖封止部材とこれらを連結する連結部材の関係を示す説明図である。
【図９】同じくシールカバーの斜視図である。
【図１０】同じく主基板ケースの結合・封止手順を示す説明図である。
【図１１】同じく主基板ケースの結合・封止手順を示す説明図である。
【図１２】同じく主基板ケースへのＩＣタグシール及びシールカバーの装着手順を示す説明図である。
【図１３】同じく主基板ケースの取付ベースへの装着・封止手順を示す説明図である。
【図１４】同じく取付ベース及び主基板ケースの封止状態での縦断面図である。
【図１５】同じく主基板ケースの取付ベースに対する封止の解除手順を示す説明図である。
【図１６】同じく主基板ケースに対するＩＣタグシール及びシールカバーによる封止の解除手順を示す説明図である。
【図１７】同じく主基板ケースの封止解除手順を示す説明図である。
【図１８】同じく主基板ケースの２回目の封止手順を示す説明図である。
【図１９】同じく主基板ケースの取付ベースへの２回目の封止手順を示す説明図である。
【図２０】同じく主基板ケースの取付ベースに対する２回目の封止解除手順を示す説明図である。
【図２１】同じく主基板ケースの２回目の封止解除手順を示す説明図である。
【図２２】本発明の第２の実施形態を示す主基板ケースの結合・封止手順を示す説明図である。
【図２３】同じく主基板ケースの取付ベースへの装着・封止手順を示す説明図である。
【図２４】同じく主基板ケースの取付ベースに対する封止の解除手順を示す説明図である。
【発明を実施するための形態】
【００１２】
以下、本発明の実施形態を図面に基づいて詳述する。図１〜図２１は本発明をスロットマシンに採用した第１の実施形態を例示している。なお、以下の説明における上下左右の方向については、特に基準を示さない限り遊技機本体を前側から見た場合の上下左右をいうものとする。
【００１３】
図１及び図２において、遊技機本体を構成する筐体１は、本体ケース２と、この本体ケース２の前側に配置された矩形状の前面パネル３とを備えている。本体ケース２は例えば木製で、左右一対の側板４ａ，４ｂと、それら左右の側板４ａ，４ｂの上下両端側を左右に連結する上板５及び底板６と、背面側を略塞ぐ背板７とにより前側が開放する箱形に形成されており、その前側を開閉自在に閉鎖するように前面パネル３が装着されている。
【００１４】
本体ケース２内には、図２に示すように複数個の図柄表示リール８ａ〜８ｃが左右方向に配列された表示リールユニット９の他、メダル払い出し装置１０、メダル補助ケース１１、電源基板が格納された電源基板ケース１２、主制御基板（基板）１３が格納された主基板ケース（基板ケース）１４等が配置されている。表示リールユニット９は、例えば左右の側板４ａ，４ｂ間に架設された中間棚１５上に配置され、メダル払い出し装置１０、メダル補助ケース１１、電源基板ケース１２等は底板６上に配置されている。また主基板ケース１４は、本体ケース２内の所定箇所、例えば背板７の前面側で且つ表示リールユニット９の上側近傍に装着されている。
【００１５】
図１に示すように、前面パネル３は左右一端側、例えば左側に配置されたヒンジ手段  （図示省略）を介して本体ケース２に対して開閉自在に装着されており、その上部側には、前面パネル３の裏側に配置された液晶表示ユニット等の表示画面１６ａに対応する第１表示窓１６と、図柄表示リール８ａ〜８ｃに対応する第２表示窓１７とが上下に配置されている。
【００１６】
また、第２表示窓１７の下側には、横長状の操作パネル部１８が設けられており、この操作パネル部１８の上面側に、遊技媒体としてのメダルを投入可能なメダル投入口１９、１ベットボタン２０、マックスベットボタン２１、クレジット精算ボタン２２等が設けられ、また操作パネル部１８の前面側に、スタートレバー２３、ストップボタン２４ａ〜２４ｃ、メダル返却ボタン２５等が設けられている。
【００１７】
また前面パネル３の下端部前側には、メダル払い出し装置１０から払い出されたメダルや返却メダルを前側に排出するための排出口２６が設けられ、その前側に、排出口２６から排出されたメダルを受けるメダル受け皿２７が横長状に配置されている。
【００１８】
主基板ケース１４は、主制御基板１３を保護しつつ本体ケース２内に装着するためのもので、取付ベース３０を介して背板７の前面側に固定されており、図３〜図５等に示すように、主制御基板１３の両面側から互いに嵌め合わせ可能な裏ケース体（甲ケース体）３１と表ケース体（乙ケース体）３２とで開閉自在に構成されている。また、この主基板ケース１４には、裏ケース体３１と表ケース体３２とを閉状態で封止する閉鎖封止部材３３、この主基板ケース１４を取付ベース３０に対して装着状態で封止する装着封止部材３４、裏ケース体３１と表ケース体３２と閉鎖封止部材３３とを互いに連結する連結部材３５、主基板ケース１４上に貼付されたＩＣタグシール３６の表面を覆うシールカバー３７、主制御基板１３上の特定のコネクタ５１ａをカバーするコネクタカバー３８等が装着されている。
【００１９】
また、主基板ケース１４は、裏ケース体３１と表ケース体３２とを所定方向、例えば左右方向（以下、閉鎖スライド方向という）に互いに相対的にスライドさせることにより、閉鎖ロック手段４１により互いに嵌め合わせた状態が保持される閉鎖ロック状態と保持されない閉鎖アンロック状態とを切り換え可能となっている。ここで、閉鎖ロック手段４１は、図５に示すように裏ケース体３１側の閉鎖係合手段４２と表ケース体３２側の閉鎖被係合手段４３とで構成されており、主基板ケース１４は、それら閉鎖係合手段４２と閉鎖被係合手段４３とが互いに係合する閉鎖ロック状態において、閉鎖封止部材３３によって封止（閉鎖封止状態）されるようになっている。
【００２０】
また、閉鎖封止状態の主基板ケース１４は、取付ベース３０に対して所定方向、例えば閉鎖スライド方向と同じ左右方向（以下、装着スライド方向という）に相対的にスライドさせることにより、装着ロック手段４４により装着状態が保持される装着ロック状態と保持されない装着アンロック状態とを切り換え可能となっている。なお、本実施形態では２種類の装着ロック状態が設けられており、取付ベース３０に対して主基板ケース１４を装着アンロック状態から装着スライド方向の一方、例えば右にスライドさせることにより第１装着ロック状態となり、主基板ケース１４を装着アンロック状態から装着スライド方向の他方、例えば左にスライドさせることにより第２装着ロック状態となるように構成されている。
【００２１】
ここで、装着ロック手段４４は、図５に示すように取付ベース３０側の装着係合手段４５と表ケース体３２側の装着被係合手段４６とで構成され、それら装着係合手段４５と装着被係合手段４６とが互いに係合する２種類の第１，第２装着ロック状態で夫々封止（第１，第２装着封止状態）されるようになっているが、装着封止部材３４はそれら第１，第２装着ロック状態のうち、第１装着ロック状態での封止（第１装着封止状態）に用いられるようになっている。
【００２２】
主制御基板１３は、スタートレバー２３、ストップボタン２４ａ〜２４ｃ等の操作に基づいて図柄表示リール８ａ〜８ｃの回転、停止その他の遊技動作を制御するためのもので、例えば横長矩形状に形成され、その一面側（ここでは前面側）の電子部品装着面１３ａには、図５に示すように外縁に沿って配置される複数個のコネクタ５１、それらコネクタ５１よりも内側に配置されるＲＯＭ５２等、多数の電子部品が装着されている。
【００２３】
主基板ケース１４は、裏ケース体３１と表ケース体３２とを主制御基板１３の裏面１３ｂ側（ここでは後側）と表面、即ち電子部品装着面１３ａ側（ここでは前側）から互いに嵌め合わせることにより、基板格納部５３、封止部５４、ＩＣタグシール貼付部５５等が形成されるようになっている。
【００２４】
基板格納部５３は、主制御基板１３が格納される部分で、裏ケース体３１側の裏蓋部５３ａと表ケース体３２側の表蓋部５３ｂとで例えば前後に偏平な横長矩形状の箱形に形成されている。また、封止部５４は、閉鎖封止部材３３及び装着封止部材３４を装着して封止を行うための部分で、裏ケース体３１側の裏ケース側封止部５４ａと表ケース体３２側の表ケース側封止部５４ｂとで構成され、基板格納部５３に対して閉鎖スライド方向の一方側、例えば右側に配置されている。ＩＣタグシール貼付部５５は、ＩＣタグシール３６を貼付するための部分で、裏ケース体３１側の裏ケース側貼付面５５ａと表ケース体３２側の表ケース側貼付面５５ｂとで構成され、基板格納部５３に対して閉鎖スライド方向の一方側、例えば封止部５４と同じ右側に封止部５４と並んで配置されている。
【００２５】
裏ケース体３１は、主制御基板１３の裏面１３ｂ側に対応するもので、図５〜図８に示すように、基板格納部５３を構成する裏蓋部５３ａ、封止部５４を構成する裏ケース側封止部５４ａ、ＩＣタグシール貼付部５５を構成する裏ケース側貼付面５５ａ、連結部材３５の裏ケース側固定部５６ａを固定するための固定ベース部５７等を一体に備えている。
【００２６】
裏蓋部５３ａは、主制御基板１３の裏面１３ｂに対向する例えば横長矩形状の底壁５８と、この底壁５８の四辺のうち、閉鎖スライド方向に沿う一対の辺、即ち上辺及び下辺に沿って表ケース体３２側（前側）に向けて立設される一対の嵌合壁５９，６０と、底壁５８の内面（基板格納部５３の内側に対応する面）側に複数設けられ且つ主制御基板１３の裏面１３ｂに略当接する所定高さに突設される基板支持リブ６１等を備えている。
【００２７】
嵌合壁５９，６０には、閉鎖ロック手段４１を構成する閉鎖係合手段４２が長手方向に沿って夫々１又は複数、例えば４つずつ設けられている。この閉鎖係合手段４２は、図６に示すように、嵌合壁５９，６０の縁部から表ケース体３２側に向けて突出する係合脚部４２ａと、この係合脚部４２ａの先端側から閉鎖スライド方向の一方側、例えば封止部５４と反対側（ここでは左側）に突出する係合爪部４２ｂとで略Ｌ字型に形成されている。
【００２８】
裏ケース側封止部５４ａは、裏蓋部５３ａの例えば右側に一体に設けられており、例えば裏蓋部５３ａ側の底壁５８から延設された裏カバー板６２と、この裏カバー板６２上に設けられた例えば２つの第１，第２裏ケース側封止装着部６３ａ，６４ａと、それら第１，第２裏ケース側封止装着部６３ａ，６４ａに対して裏蓋部５３ａと反対側に配置され且つ表ケース体３２側（前側）に向けて例えば膨出状に立設された端部壁６５等を一体に備えている。
【００２９】
第１，第２裏ケース側封止装着部６３ａ，６４ａは、裏蓋部５３ａの右縁部に沿って例えば第１裏ケース側封止装着部６３ａが第２裏ケース側封止装着部６４ａの下側にくるように上下に隣接して配置されている。これら第１，第２裏ケース側封止装着部６３ａ，６４ａは、夫々表ケース体３２側に向けて開口する例えば四角形の有底筒状に形成されており、図７に示すように、その底板部６６が裏カバー板６２の裏側に若干突出した状態でその裏カバー板６２に一体に設けられている。また、第１，第２裏ケース側封止装着部６３ａ，６４ａの底板部６６には、装着スライド方向に対して直交する方向、即ち上下方向に突出する一対の嵌合鍔部６７が一体に設けられている。
【００３０】
また、第２裏ケース側封止装着部６４ａの底板部６６上には、例えば細長状の貫通孔６８が装着スライド方向に形成されている。更に、第１裏ケース側封止装着部６３ａの底板部６６上には、例えばその略中央に開口蓋６９が一体に設けられ、またその開口蓋６９に対する装着スライド方向の一方側、例えば左側には第２装着封止突起部７０が底板部６６の裏側に向けて突設されている。なお、この第２装着封止突起部７０は、後述する取付ベース３０側の第２装着封止係合爪１３８と共に、主基板ケース１４を取付ベース３０に対して装着状態で封止する第２装着封止手段４８を構成している。
【００３１】
開口蓋（被損壊部）６９は、底板部６６上の薄肉部６９ａで取り囲まれた部分で、強く押圧して周囲の薄肉部６９ａを損壊させることにより底板部６６から容易に分離して円形その他の開口部６９ｂ（図２０，図２１参照）を形成するようになっている。なお、例えば第１，第２裏ケース側封止装着部６３ａ，６４ａの上下両側には、嵌合壁５９，６０に設けられているものと同様の閉鎖係合手段４２が、裏カバー板６２の内面側に突設されている。
【００３２】
裏ケース側貼付面５５ａは、例えば裏蓋部５３ａの右側で且つ裏ケース側封止部５４ａの上側に主制御基板１３の電子部品装着面１３ａと略同じ向きに配置されている。また、この裏ケース側貼付面５５ａの上縁側に沿って嵌合壁５９と平行に配置された上側壁部７１上には、シールカバー３７の一端側を保持するためのシールカバー係合部７２ａが突設されている。また、固定ベース部５７は、例えば第１裏ケース側封止装着部６３ａに近い所定位置、例えば端部壁６５の一端側の例えば後側に設けられている。
【００３３】
表ケース体３２は、主制御基板１３の電子部品装着面１３ａ側に対応するもので、図５〜図８に示すように、基板格納部５３を構成する表蓋部５３ｂ、封止部５４を構成する表ケース側封止部５４ｂ、ＩＣタグシール貼付部５５を構成する表ケース側貼付面５５ｂ、連結部材３５の表ケース側固定部５６ｂを固定するための固定ベース部７３、封止に使用される前の閉鎖封止部材３３を装着するための封止部材ホルダ７４等を一体に備えている。
【００３４】
表蓋部５３ｂは、主制御基板１３の外縁を取り囲む上下左右の周壁７５〜７８と、主制御基板１３の電子部品装着面１３ａに対向する上壁７９とを一体に備え、裏ケース体３１側が開放されて開口８０を形成している。
【００３５】
上壁７９は、その外周に沿って設けられた低壁部７９ａと、その低壁部７９ａの内側で外向き（前向き）に膨出する膨出部７９ｂとを備えている。低壁部７９ａ上には、主制御基板１３のコネクタ５１に対応して内向きに凹入する複数の凹部８１ａ〜８１ｃが設けられ、それら凹部８１ａ〜８１ｃにはコネクタ５１が嵌合するコネクタ嵌合孔８２が夫々１又は複数設けられている。膨出部７９ｂは、主制御基板１３の電子部品装着面１３ａとの間に電子部品の収容空間を確保するためのもので、例えばＲＯＭ５２に対応する位置にはＲＯＭ５２を不正に交換する行為等を防止するための凹部８３等が形成されている。
【００３６】
また、表蓋部５３ｂには、閉鎖ロック手段４１を構成する閉鎖被係合手段４３と、装着ロック手段４４を構成する装着被係合手段４６とが、例えばその上下の周壁７５，７６に沿って配置されている。即ち、図６，図８等に示すように、上下の周壁７５，７６の内側には夫々若干の隙間を挟んで内ガイド板７５ａ，７６ａ及び外ガイド板７５ｂ，７６ｂが上壁７９の裏側に向けて立設されており、内ガイド板７５ａ，７６ａと外ガイド板７５ｂ，７６ｂとの間の閉鎖ガイド溝８４内に閉鎖被係合手段４３が、外ガイド板７５ｂ，７６ｂと周壁７５，７６との間の装着ガイド溝８５内に装着被係合手段４６が、夫々設けられている。
【００３７】
閉鎖被係合手段４３は、裏ケース体３１側の嵌合壁５９，６０上に設けられた複数、例えば各４つの閉鎖係合手段４２に対応して閉鎖ガイド溝８４内に複数、例えば各４つ設けられており、図６に示すように、裏ケース体３１と表ケース体３２とを互いに嵌め合わせたときに閉鎖係合手段４２の係合爪部４２ｂが嵌合する嵌合部４３ａと（閉鎖アンロック状態）、その状態から表ケース体３２を裏ケース体３１に対して閉鎖ガイド溝８４に沿って所定の向き（ここでは右向きとする）に相対的にスライドさせることにより係合爪部４２ｂが係合する被係合部４３ｂと（閉鎖ロック状態）で構成されている。
【００３８】
また、装着被係合手段４６は、装着ガイド溝８５内に複数、例えば各４つ設けられており、図７に示すように、主基板ケース１４を取付ベース３０に嵌め込んだときに装着係合手段４５の第１，第２係合爪部４５ｂ，４５ｃが嵌合する嵌合部４６ａと（装着アンロック状態）、その装着アンロック状態から主基板ケース１４を取付ベース３０に対して装着ガイド溝８５に沿って一方側（ここでは右向きとする）に相対的にスライドさせることにより第１係合爪部４５ｂが係合する第１被係合部４６ｂと（装着ロック状態）、装着アンロック状態から主基板ケース１４を取付ベース３０に対して装着ガイド溝８５に沿って他方側（ここでは左向きとする）に相対的にスライドさせることにより第２係合爪部４５ｃが係合する第２被係合部４６ｃと（装着ロック状態）で構成されている。
【００３９】
このような表蓋部５３ｂに対し、主制御基板１３は、コネクタ５１をコネクタ嵌合孔８２に嵌合させつつ開口８０側から嵌め込まれ、電子部品装着面１３ａを凹部８１ａ〜８１ｃの内面側に当接させた状態でねじ止め等により着脱自在に固定される。
【００４０】
また、表蓋部５３ｂには、コネクタカバー３８が着脱自在に装着可能となっている。このコネクタカバー３８は、図３及び図５に示すように、主制御基板１３の複数のコネクタ５１のうち、例えば下側の凹部８１ｃ内に配置されるコネクタ５１ａを、これらに結合されたハーネス側コネクタ８６と共に覆うもので、表蓋部５３ｂ側のケース側結束部８７に対応するカバー側結束部８８が一体に設けられており、これらケース側結束部８７とカバー側結束部８８とを結束バンド８９等により結束することにより表蓋部５３ｂに装着されている。これにより、結束バンド８９を切断してコネクタカバー３８を取り外さない限り、ハーネス側コネクタ８６をコネクタ５１ａから抜き取ることができず、コネクタ５１ａへの不正部品の接続等による不正行為を効果的に防止できる。
【００４１】
表ケース側封止部５４ｂは、裏ケース体３１側の裏ケース側封止部５４ａに対応して表蓋部５３ｂの例えば右側に一体に設けられており、図６，図８等に示すように、裏ケース側封止部５４ａ側の第１，第２裏ケース側封止装着部６３ａ，６４ａに対応する２つの第１，第２表ケース側封止装着部６３ｂ，６４ｂと、これら第１，第２表ケース側封止装着部６３ｂ，６４ｂを夫々１又は複数、例えば４つの連結リブ９０ａ〜９０ｄを介して支持する封止支持フレーム９１とを備えている。
【００４２】
第１，第２表ケース側封止装着部６３ｂ，６４ｂは、裏ケース側封止部５４ａ側の第１，第２裏ケース側封止装着部６３ａ，６４ａと共に夫々第１，第２封止装着部６３，６４を構成するもので、例えば四角形の筒状に形成されており、裏ケース体３１と表ケース体３２とが閉鎖ロック状態となったときに、第１，第２裏ケース側封止装着部６３ａ，６４ａに対して閉鎖スライド方向に対して直交する方向、即ち前後方向に合致して、第１，第２裏ケース側封止装着部６３ａ，６４ａと共に各１本の筒体を形成するように配置されている。
【００４３】
また、第２表ケース側封止装着部６４ｂには、第２裏ケース側封止装着部６４ａとは反対側の端部（以下、外側端部）を閉鎖する閉鎖蓋９２が一体に設けられている。閉鎖蓋  （被損壊部）９２は、その周囲が薄肉部９２ａを介して第２表ケース側封止装着部６４ｂの外側端部に一体に設けられており、強く押圧して周囲の薄肉部９２ａを損壊させることにより第２表ケース側封止装着部６４ｂから容易に分離し、それによって外側端部が開放されるようになっている。
【００４４】
封止支持フレーム９１は、第１，第２表ケース側封止装着部６３ｂ，６４ｂの周囲を一定の隙間を介して取り囲む矩形枠状に形成され、表蓋部５３ｂの右周壁７８の外面側に一体に設けられており、各４つの連結リブ９０ａ〜９０ｄにより第１，第２表ケース側封止装着部６３ｂ，６４ｂが一体に連結されている。また、封止支持フレーム９１上には、裏ケース側封止部５４ａに設けられた閉鎖係合手段４２に対応して、例えばその上下両端側に閉鎖ガイド溝８４内と同様の閉鎖被係合手段４３が設けられている。
【００４５】
表ケース側貼付面５５ｂは、例えば表蓋部５３ｂの右側で且つ表ケース側封止部５４ｂの上側に主制御基板１３の電子部品装着面１３ａと略同じ向きに配置されている。また、この表ケース側貼付面５５ｂの上縁側に沿って外ガイド板７５ｂから閉鎖スライド方向に延設された上側壁部９３上には、裏ケース側貼付面５５ａ側のシールカバー係合部７２ａに対応するシールカバー係合部７２ｂが突設されている。
【００４６】
そして、裏ケース体３１と表ケース体３２とが嵌め合わされて閉鎖ロック状態となったとき、表ケース側貼付面５５ｂが裏ケース側貼付面５５ａと閉鎖スライド方向に連結して１つのＩＣタグシール貼付部５５を形成し、また上側壁部９３が裏ケース体３１側の上側壁部７１と連結して、シールカバー係合部７２ａとシールカバー係合部７２ｂとが閉鎖スライド方向に近接又は当接するようになっている。なお、シールカバー係合部７２ａ，７２ｂは、例えば主基板ケース１４の裏側に向けて開放する断面略Ｃ字状に形成されている。
【００４７】
裏ケース側貼付面５５ａと表ケース側貼付面５５ｂとで形成されるＩＣタグシール貼付部５５には、それらの境界を挟んでその両側一定幅の範囲が後ろ向きに凹入しており、その上に貼付されるＩＣタグシール３６を屈曲状に案内するようになっている。
【００４８】
また、表ケース側貼付面５５ｂを挟んでシールカバー係合部７２ｂの反対側には、図６，図８等に示すようにシールカバー３７を主基板ケース１４に封止するための被結合部９４が配置されている。この被結合部９４は、例えば閉鎖スライド方向に設けられた１つの挿通スリット９５と、この挿通スリット９５の両側に平行に配置された一対の逃げ用スリット９６と、それら挿通スリット９５と逃げ用スリット９６との間に形成された一対の弾性係合部９７とを備えている。
【００４９】
固定ベース部７３は、第１表ケース側封止装着部６３ｂの近傍、例えば下側に前向きに配置され、封止支持フレーム９１に一体に形成されている。なお、裏ケース体３１側の固定ベース部５７とこの固定ベース部７３とは夫々主基板ケース１４の裏側と表側とに配置されているが、例えばこれら固定ベース部５７，７３は少なくとも上下方向位置（閉鎖スライド方向に対して直交する方向の位置）については、図８に示すように互いに略一致している。
【００５０】
封止部材ホルダ７４は、例えば固定ベース部７３に対して第１表ケース側封止装着部６３ｂの反対側、即ち固定ベース部７３の下側に配置され、例えば表蓋部５３ｂの右周壁７８から閉鎖スライド方向に突設される上下一対の保持片７４ａ等により構成されている。
【００５１】
閉鎖封止部材３３は、主基板ケース１４等とは別体に形成され、例えば１つの主基板ケース１４に対して１個設けられており、図６，図８等に示すように、挿通軸部１０１と、この挿通軸部１０１の挿入方向後端側に設けられた鍔部１０２と、挿通軸部１０１上に設けられた抜け止め係合爪１０３と、挿通軸部１０１の挿入方向後端側に設けられた固定ベース部１０４とを一体に備えている。
【００５２】
挿通軸部１０１は、主基板ケース１４が閉鎖ロック状態のときに第１表ケース側封止装着部６３ｂと第１裏ケース側封止装着部６３ａとに跨るように第１封止装着部６３内に挿通されて閉鎖アンロック状態側へのスライドを阻止するもので、第１封止装着部６３の内側に略隙間なく挿通可能な形状、例えば四角形の筒状に形成されており、その軸方向長さは第１封止装着部６３の内部長さと略一致している。また、挿通軸部１０１の外周面上には、第１封止装着部６３の内面側に形成された溝１０５に対応して軸方向の突条１０６が設けられており、この突条１０６を溝１０５に嵌合させた状態でなければ挿通軸部１０１が第１封止装着部６３に挿通不可能とすることで第１封止装着部６３に装着する際の閉鎖封止部材３３の向きが規定されている。
【００５３】
鍔部１０２は、例えば筒状に形成された挿通軸部１０１の後端側を閉鎖すると共に、その外縁側が挿通軸部１０１の外周面よりも外側に鍔状に突出しており、挿通軸部１０１を第１封止装着部６３内に挿通させたとき、第１表ケース側封止装着部６３ｂの外側端部に略当接して挿入方向への移動を所定位置で阻止するようになっている。
【００５４】
抜け止め係合爪１０３は、第１封止装着部６３に挿通された挿通軸部１０１の抜けを阻止するもので、例えば挿通軸部１０１の外周側に１又は複数、例えば２つ設けられている。この抜け止め係合爪１０３は、挿通軸部１０１の外周面よりも外側に突出する突出状態と突出しない退避状態とに切り換え可能で且つ突出状態側に弾性付勢され、挿通軸部１０１が第１封止装着部６３に挿通されたときに第１表ケース側封止装着部６３ｂの例えば裏側端部に係合するように、挿通軸部１０１の軸方向中間位置に配置されている。
【００５５】
固定ベース部１０４は、連結部材３５の封止部材側固定部５６ｃを固定するためのもので、鍔部１０２上に設けられており、鍔部１０２から略垂直に突設される１又は複数、例えば１本のカシメピン１０４ｂと、このカシメピン１０４ｂの外側を略取り囲むように鍔部１０２から所定高さで突設される囲いリブ１０４ｃとで構成されている。
【００５６】
装着封止部材３４は、主基板ケース１４、閉鎖封止部材３３等とは別体に形成され、例えば１つの主基板ケース１４に対して１個設けられており、図６等に示すように、挿入本体部１０７と、この挿入本体部１０７の挿入方向先端側に設けられた第１装着封止突起部１０８とを一体に備えている。
【００５７】
挿入本体部１０７は、第１装着封止突起部１０８を貫通孔６８から外側に突出させた状態で保持すべく第２封止装着部６４内に挿入されるもので、第２封止装着部６４の内側に略隙間なく収容可能な形状、例えば四角形の筒状に形成されており、その軸方向長さは例えば第２裏ケース側封止装着部６４ａの内部長さと略一致している。また、挿入本体部１０７の外周面上にも、閉鎖封止部材３３と同様、第２封止装着部６４の内面側に形成された溝１０５に対応して軸方向の突条１０６が設けられている。なお、第２表ケース側封止装着部６４ｂ側の閉鎖蓋９２には、図１０，図１４等に示すようにその内面側に押さえリブ１０９が突設されており、主基板ケース１４が閉鎖ロック状態のときにその押さえリブ１０９が挿入本体部１０７の挿入方向後端側に略当接することにより、装着封止部材３４の第２封止装着部６４内での軸方向移動が阻止されるようになっている。
【００５８】
第１装着封止突起部１０８は、挿入本体部１０７の挿入方向先端側の略中央から軸方向に突出しており、装着封止部材３４が第２封止装着部６４内に装着されたとき、図７等に示すように貫通孔６８を介して裏ケース体３１の裏側に突出するようになっている。また、第１装着封止突起部１０８の先端部は装着スライド方向のロック側（右側）からアンロック側（左側）に向けて徐々に突出量が大きくなる傾斜状に形成されている。なお、第１装着封止突起部１０８は貫通孔６８の形状に対応して例えば装着スライド方向に沿った板状に形成され、例えば挿入本体部１０７内に軸方向に配置された補強リブ等を介して挿入本体部１０７に一体に設けられている。なお、第１装着封止突起部１０８は、後述する取付ベース３０側の第１装着封止係合爪１３７と共に、主基板ケース１４を取付ベース３０に対して装着状態で封止する第１装着封止手段４７を構成している。
【００５９】
連結部材３５は、図８等に示すように、裏ケース体３１側の固定ベース部５７に固定される裏ケース側固定部５６ａと、表ケース体３２側の固定ベース部７３に固定される表ケース側固定部５６ｂと、閉鎖封止部材３３側の固定ベース部１０４に固定される封止部材側固定部５６ｃと、裏ケース側固定部５６ａと表ケース側固定部５６ｂとの間を連結する第１連結バンド部１１１と、表ケース側固定部５６ｂと封止部材側固定部５６ｃとの間を連結する第２連結バンド部１１２とを備え、例えば可撓性を持たせたポリエチレン等、ある程度の柔軟性を有する合成樹脂により一体成形されている。
【００６０】
裏ケース側固定部５６ａ、表ケース側固定部５６ｂ、封止部材側固定部５６ｃは、夫々固定ベース部５７，７３，１０４に対して熱カシメ等の方法により着脱不能に固定されている。第１，第２連結バンド部１１１，１１２は、例えば十分な可撓性を有する細長平板状に形成されており、第１連結バンド部１１１については裏ケース体３１と表ケース体３２とを通常の手順で開閉する際に支障がない範囲で、また第２連結バンド部１１２については閉鎖封止部材３３を封止部材ホルダ７４から外して第１封止装着部６３に挿入する際に支障がない範囲で、夫々なるべく短く形成されている。
【００６１】
シールカバー３７は、図９等に示すように、本体部１２１と、この本体部１２１の一端側に設けられる被係合部１２２と、本体部１２１の他端側に設けられる結合ピン１２３とを備え、例えば透明な合成樹脂により一体に形成されている。
【００６２】
本体部１２１は、ＩＣタグシール貼付部５５に対応するシールカバー部１２１ａと、被結合部９４に対応する封止カバー部１２１ｂとで構成されている。シールカバー部１２１ａは、ＩＣタグシール貼付部５５の略全体を覆う正面視略矩形状に形成されると共に、その裏面がＩＣタグシール貼付部５５に貼付されたＩＣタグシール３６の表面全体に略密着するように、ＩＣタグシール貼付部５５の曲面に沿う三次元形状に形成されている。封止カバー部１２１ｂは、被結合部９４の略全体を覆う正面視略矩形状に形成されており、その裏側に結合ピン１２３が突設されている。なお、シールカバー部１２１ａと封止カバー部１２１ｂとは、１又は複数、例えば３つの連結リブ１２４ａ〜１２４ｃにより一体に連結されている。
【００６３】
被係合部１２２は、シールカバー３７の一端側を主基板ケース１４に係合させるためのもので、主基板ケース１４側のシールカバー係合部７２ａ，７２ｂに対応して例えば主基板ケース１４の閉鎖スライド方向、即ち左右方向に配置されるヒンジピン１２２ａと、このヒンジピン１２２ａを少なくともその両端側で支持する支持部１２２ｂとで構成されており、ヒンジピン１２２ａがシールカバー係合部７２ａ，７２ｂに対して主基板ケース１４の裏側から着脱自在に嵌め込まれ、その軸廻りに回転自在に保持されるようになっている。
【００６４】
結合ピン１２３は、シールカバー３７を主基板ケース１４に装着した状態で封止するためのもので、封止カバー部１２１ｂから略垂直に突設される軸部１２３ａと、この軸部１２３ａの先端側に設けられ且つその軸部１２３ａの幅方向に張り出す断面台形状の結合部１２３ｂとで構成されており、ヒンジピン１２２ａがシールカバー係合部７２ａ，７２ｂに係合された状態でシールカバー部１２１ａがＩＣタグシール貼付部５５上のＩＣタグシール３６の表面に略密着されたとき、被結合部９４の挿通スリット９５を貫通してその裏側に離脱不能に係合するようになっている。
【００６５】
取付ベース３０は、図５，図７等に示すように、主基板ケース１４の裏面に対応する略矩形状に形成されたベース板１３１と、主基板ケース１４の装着ガイド溝８５に対応してベース板１３１の上下両縁に沿って前向き突出状に設けられる装着レール板１３２，１３３と、ベース板１３１の装着スライド方向の一方側（ここでは右側）の縁部に沿って前向き突出状に設けられるスライド規制板１３４と、上下の装着レール板１３２，１３３の外側に夫々前向き突出状に設けられる仮固定フック１３５，１３６とを一体に備えており、ベース板１３１に設けられた複数の固定孔１３１ａにおいて本体ケース２の背板７の内面側にねじ止め固定されている。なお、取付ベース３０に主基板ケース１４を装着した状態ではその主基板ケース１４によって固定孔１３１ａ及び固定ねじ（図示省略）が覆われてしまうため、本体ケース２から取付ベース３０ごと主基板ケース１４を取り外すことはできない。
【００６６】
装着レール板１３２，１３３には、装着ロック手段４４を構成する装着係合手段４５が長手方向に沿って夫々１又は複数、例えば主基板ケース１４側の装着被係合手段４６に対応して４つずつ設けられている。この装着係合手段４５は、図７に示すように、装着レール板１３２，１３３の縁部から主基板ケース１４側（前側）に向けて突出する係合脚部４５ａと、この係合脚部４５ａの先端側から装着レール板１３２，１３３の長手方向に沿って装着スライド方向の一方側、例えば左側に突出する第１係合爪部４５ｂと、同じく係合脚部４５ａの先端側から装着スライド方向の他方側、例えば右側に突出する第２係合爪部４５ｃとで略Ｔ字型に形成されており、主基板ケース１４が取付ベース３０に嵌め込まれて装着アンロック状態となったときに装着係合手段４５の第１，第２係合爪部４５ｂ，４５ｃが装着被係合手段４６の嵌合部４６ａに嵌合し、その状態から主基板ケース１４を取付ベース３０に対して右向きに相対的にスライドさせることにより第１係合爪部４５ｂが装着被係合手段４６の第１被係合部４６ｂに係合して第１装着ロック状態となり、又は装着アンロック状態から主基板ケース１４を取付ベース３０に対して左向きに相対的にスライドさせることにより第２係合爪部４５ｃが装着被係合手段４６の第２被係合部４６ｃに係合して第２装着ロック状態となるように構成されている。
【００６７】
また、ベース板１３１上には、２組の第１，第２装着封止係合爪（係合部）１３７，１３８が設けられている。第１装着封止係合爪１３７は、装着封止部材３４上の第１装着封止突起部１０８と共に第１装着ロック状態での封止に用いる第１装着封止手段４７を構成するもので、装着封止部材３４の第１装着封止突起部１０８に対応して設けられており、例えばベース板１３１上に装着スライド方向に沿って形成された第１凹入部１３９内に設けられている。この第１装着封止係合爪１３７は、装着封止部材３４の第１装着封止突起部１０８に係合可能な係合状態と係合しない退避状態とに切り換え可能で且つ係合状態側に弾性付勢され、装着スライド方向に沿ってその第１装着ロック側（右端側）が係合面１４０ａ、前面側が傾斜状の案内面１４０ｂとなっており、主基板ケース１４が取付ベース３０に対して装着アンロック状態から第１装着ロック状態となるまで右向きにスライドされたとき、係合面１４０ａが装着封止部材３４の第１装着封止突起部１０８の左側に係合して装着アンロック状態側（左側）へのスライドを阻止するようになっている。
【００６８】
また、第２装着封止係合爪１３８は、裏ケース体３１上の第２装着封止突起部７０と共に第２装着ロック状態での封止に用いる第２装着封止手段４８を構成するもので、裏ケース体３１側の第２装着封止突起部７０に対応して設けられており、例えばベース板１３１上に装着スライド方向に沿って形成された第２凹入部１４１内に設けられている。この第２装着封止係合爪１３８は、第１装着封止係合爪１３７と同様の形状に形成され、第２装着封止突起部７０に係合可能な係合状態と係合しない退避状態とに切り換え可能で且つ係合状態側に弾性付勢されているが、第１装着封止係合爪１３７とは左右逆に配置されており、主基板ケース１４が取付ベース３０に対して装着アンロック状態から第２装着ロック状態となるまで左向きにスライドされたとき、係合面１４０ａが裏ケース体３１側の第２装着封止突起部７０の右側に係合して装着アンロック状態側（右側）へのスライドを阻止するようになっている。
【００６９】
なお、第１，第２装着封止係合爪１３７，１３８の両側には、第１，第２装着ロック状態のときに嵌合鍔部６７が夫々嵌合してベース板１３１から離間する方向への移動を阻止する第１，第２装着嵌合溝１４２，１４３が設けられている。
【００７０】
更に、ベース板１３１の前面側には、図７等に示すように主基板ケース１４の装着アンロック状態から第２装着ロック状態側への移動を阻止する例えば突起状のスライド規制部１４４が設けられている。主基板ケース１４側には、例えば裏ケース体３１の裏側にこのスライド規制部１４４に対応する突起部１４５が一体に設けられており、主基板ケース１４が取付ベース３０に装着されて装着アンロック状態となったとき、突起部１４５がスライド規制部１４４の右側に係合して第２装着ロック状態側へのスライドが阻止されるようになっている。なお、突起部１４５はニッパー等により容易に除去可能となっており、この突起部１４５を除去することにより装着アンロック状態から第２装着ロック状態側へのスライドが可能となる。
【００７１】
仮固定フック１３５，１３６は、取付ベース３０に装着された主基板ケース１４を装着アンロック状態で仮固定するためのもので、例えば取付ベース３０の上下に１又は複数組、例えば１組設けられており、主基板ケース１４の側面、例えば上周壁７５及び下周壁７６に沿ってその前縁側に係脱自在に係合して主基板ケース１４を保持するようになっている。
【００７２】
また、主基板ケース１４上には、図６等に示すように例えば表ケース体３２上にこれら仮固定フック１３５，１３６の少なくとも一方、例えば下側の仮固定フック１３６に対応する位置決めリブ１４６が一体に設けられている。この位置決めリブ１４６は、主基板ケース１４が取付ベース３０に装着されて装着アンロック状態となったときに仮固定フック１３６に対して装着スライド方向の一方側、例えば第１装着ロック側（右側）に略当接する位置に配置されており、この位置決めリブ１４６を仮固定フック１３６の右側に沿わせながら主基板ケース１４を取付ベース３０に装着すれば容易に装着アンロック状態に位置決めできる。なお、主基板ケース１４を装着アンロック状態から第１装着ロック状態側にスライドさせる際には仮固定フック１３６を弾性変形させて位置決めリブ１４６への係合を一時的に解除すればよい。
【００７３】
以上のような主基板ケース１４を本体ケース２内に装着する際には、まず主制御基板１３を格納した状態で主基板ケース１４を封止すると共にその主基板ケース１４にＩＣタグシール３６を貼付してシールカバー３７を装着し、更にその状態の主基板ケース１４を、予め本体ケース２内の背板７に固定された取付ベース３０に対して装着・封止するという手順で行う。以下、図１０〜図１７を参照しつつ、その装着・封止手順及びその後の開封手順を簡単に説明する。
【００７４】
（Ａ１）主基板ケース１４への主制御基板１３の装着
まず、主制御基板１３を主基板ケース１４に装着するが、その前段階として、主基板ケース１４を構成する裏ケース体３１、表ケース体３２の他、閉鎖封止部材３３、装着封止部材３４、連結部材３５を１組用意すると共に、裏ケース体３１、表ケース体３２及び閉鎖封止部材３３を連結部材３５により互いに連結しておく。
【００７５】
なお、装着封止部材３４を第２裏ケース側封止装着部６４ａ内に挿入した状態で裏ケース体３１と表ケース体３２とを嵌め合わせ、互いにスライドさせて閉鎖ロック状態とし、閉鎖封止部材３３を封止部材ホルダ７４に装着すれば、未封止の主基板ケース１４を一体として容易に搬送できる。このとき、装着封止部材３４は第２封止装着部６４内に格納されており、また閉鎖封止部材３３は連結部材３５により主基板ケース１４に連結されているため、何れも脱落して紛失する心配はない。
【００７６】
主制御基板１３を装着する際には、例えば上記のように未封止の状態で仮組みされていた主基板ケース１４の裏ケース体３１と表ケース体３２とを装着アンロック状態側にスライドさせて開放し、表ケース体３２の内側に電子部品装着面１３ａが上壁７９側に向くように主制御基板１３を装着し、ねじ止め等により固定する。
【００７７】
（Ａ２）主基板ケース１４の閉鎖・封止
表ケース体３２に主制御基板１３を装着すると、その表ケース体３２を、第２裏ケース側封止装着部６４ａ内に装着封止部材３４が挿入された状態の裏ケース体３１に対して前側から嵌め合わせて閉鎖アンロック状態とする（図１０（ａ））。
【００７８】
このとき、裏ケース体３１側の第１，第２裏ケース側封止装着部６３ａ，６４ａと表ケース体３２側の第１，第２表ケース側封止装着部６３ｂ，６４ｂとは互いの軸が閉鎖スライド方向にずれた状態となっている。また、裏ケース側貼付面５５ａと表ケース側貼付面５５ｂとについても閉鎖スライド方向に離間した状態となっている（図１１（ａ））。
【００７９】
続いて、表ケース体３２を裏ケース体３１に対して右向きにスライドさせる。これにより、裏ケース体３１側の閉鎖係合手段４２が表ケース体３２側の被係合部４３ｂに係合し、主基板ケース１４は閉鎖ロック状態になると共に、裏ケース体３１側の第１，第２裏ケース側封止装着部６３ａ，６４ａと表ケース体３２側の第１，第２表ケース側封止装着部６３ｂ，６４ｂとが閉鎖スライド方向に対して直交する前後方向に互いに合致した状態となる（図１０（ｂ））。
【００８０】
なおこのとき、第２表ケース側封止装着部６４ｂ側の押さえリブ１０９が第２裏ケース側封止装着部６４ａ内の装着封止部材３４の挿入方向後端側に略当接するため、装着封止部材３４はその先端側の第１装着封止突起部１０８を貫通孔６８から裏側に突出させた状態で固定された状態となる。また、裏ケース側貼付面５５ａと表ケース側貼付面５５ｂとが互いに連結されて１つのＩＣタグシール貼付部５５が形成される（図１１（ｂ））。
【００８１】
続いて、閉鎖封止部材３３を封止部材ホルダ７４から取り外して第１封止装着部６３に挿入し、抜け止め係合爪１０３を第１表ケース側封止装着部６３ｂの裏側端部に係合させる（図１０（ｃ））。これにより、第１裏ケース側封止装着部６３ａと第１表ケース側封止装着部６３ｂとは閉鎖スライド方向に相対移動不可能となるため、裏ケース体３１と表ケース体３２とは閉鎖ロック状態に保持される。しかも抜け止め係合爪１０３は第１裏ケース側封止装着部６３ａによって覆われた状態となるため（図１４参照）、外部から抜け止め係合爪１０３の係合を解除して閉鎖封止部材３３を抜き取ることはできず、従って主基板ケース１４は閉鎖アンロック状態側へのスライドが解除不能に阻止された閉鎖封止状態となる。なお、この状態で更にねじ止め等により裏ケース体３１と表ケース体３２とを固定してもよい。
【００８２】
（Ａ３）ＩＣタグシール３６の貼付及びシールカバー３７の装着
続いて、ＩＣタグシール貼付部５５上にＩＣタグシール３６を貼付し（図１２（ａ））、そのＩＣタグシール３６の表面を覆うようにシールカバー３７を装着する。シールカバー３７を装着する際には、まず一端側のヒンジピン１２２ａを主基板ケース１４の裏側からシールカバー係合部７２ａ，７２ｂに係合させ、その軸廻りに揺動させつつ他端側の結合ピン１２３を被結合部９４の挿通スリット９５に貫通させる（図１２（ｂ）→（ｃ））。これにより、結合ピン１２３は弾性係合部９７の裏側に係合し、またその結合部分は封止カバー部１２１ｂにより外側から覆われるため、シールカバー３７は主基板ケース１４に対して離脱不能に結合した状態となる。また、シールカバー部１２１ａがＩＣタグシール貼付部５５上のＩＣタグシール３６の表面に略密着された状態となり、ＩＣタグシール３６の剥がれ等を防止できる。
【００８３】
なお、シールカバー３７の被係合部１２２は、図７等に示すように裏ケース体３１側のシールカバー係合部７２ａと表ケース体３２側のシールカバー係合部７２ｂとに係合し、それらが離間する方向へのスライドを阻止しているため、シールカバー３７の主基板ケース１４への封止を解除してシールカバー３７を取り外さなければ主基板ケース１４を開放することはできない。即ち、シールカバー３７は、閉鎖封止部材３３とは別の閉鎖封止手段としての機能も有している。
【００８４】
ここで、例えば以上のように封止された状態の主基板ケース１４を複数用意し、夫々の主基板ケース１４から開封の痕跡のない状態のシールカバー３７、裏ケース体３１、表ケース体３２、閉鎖封止部材３３等を夫々取り出すことに成功したとしても、裏ケース体３１、表ケース体３２及び閉鎖封止部材３３は連結部材３５によって互いに連結されているため、それらを組み合わせて新たな主基板ケース１４を作り出すためには連結部材３５を切断する必要がある。即ち、複数の主基板ケース１４から取り出した裏ケース体３１、表ケース体３２、閉鎖封止部材３３等を組み合わせて新たな主基板ケース１４を作り出したとしても、連結部材３５で連結された状態までも再現することはできず、そのような不正行為を効果的に防止できる。
【００８５】
（Ａ４）主基板ケース１４の取付ベース３０への装着・封止
次に、閉鎖封止状態の主基板ケース１４を、予め本体ケース２内の背板７に固定された取付ベース３０に前側から嵌め込み、取付ベース３０側の装着係合手段４５を、表ケース体３２側の装着ガイド溝８５内の嵌合部４６ａに夫々嵌合させて装着アンロック状態とし、上下の仮固定フック１３５，１３６により仮固定する。このとき、主基板ケース１４側の位置決めリブ１４６を仮固定フック１３６の右側に沿わせつつ嵌め込めば、装着アンロック状態に容易に位置決めできる。また、この装着アンロック状態では、主基板ケース１４の裏側の突起部１４５が取付ベース３０側のスライド規制部１４４の右側に係合しているため、そのままでは主基板ケース１４を第２装着ロック状態側（左側）にスライドさせることはできない。
【００８６】
続いて、仮固定フック１３６を弾性変形させて位置決めリブ１４６への係合を一時的に解除した上で、主基板ケース１４を取付ベース３０に対して右向きにスライドさせる（図１３（ａ）→（ｂ））。これにより、取付ベース３０側の装着係合手段４５が表ケース体３２側の装着被係合手段４６に係合し、主基板ケース１４は取付ベース３０に対して第１装着ロック状態となる。このとき、主基板ケース１４側の第１装着封止突起部１０８が第１装着封止係合爪１３７に係合し、装着アンロック状態側へのスライドが阻止される。しかも、外部から第１装着封止係合爪１３７の係合を解除することはできず、従って主基板ケース１４は取付ベース３０に対して装着アンロック状態側へのスライドが解除不能に阻止された装着封止状態となる。
【００８７】
なお、コネクタカバー３８は、例えば主基板ケース１４を取付ベース３０に装着し、主基板ケース１４側のコネクタ５１ａにハーネス側コネクタ８６を接続した後に装着すればよい。
【００８８】
（Ｂ１）主基板ケース１４の取り外し
以上のような手順で本体ケース２内に装着された主基板ケース１４を検査等のために開封する場合には、まずコネクタカバー３８を取り外してコネクタ５１ａからハーネス側コネクタ８６を抜き取る。そして、ドライバー等の工具を用いて閉鎖蓋９２を突き破り、閉鎖蓋９２を除去して第２封止装着部６４の端部を開放し、その中から装着封止部材３４を抜き取る（図１５）。これにより、第１装着封止係合爪１３７に係合していた第１装着封止突起部１０８がなくなって装着封止状態が解除されるため、仮固定フック１３６を弾性変形させて位置決めリブ１４６への係合を一時的に解除させた上で、主基板ケース１４を取付ベース３０に対して装着アンロック状態側にスライドさせることにより取付ベース３０から取り外すことができる。
【００８９】
このようにして装着封止状態が解除されて主基板ケース１４が取り外された後の取付ベース３０は、主基板ケース１４が装着、封止される前の状態と何ら異なるところはないため、例えば取り外した主基板ケース１４を新たな主基板ケース１４に交換する場合には、その新たな主基板ケース１４の取り付けのために引き続き利用することができる。
【００９０】
（Ｂ２）シールカバー３７の取り外し及びＩＣタグシール３６の切断
続いて、取付ベース３０から取り外した主基板ケース１４からシールカバー３７を取り外す。即ち、シールカバー３７の連結リブ１２４ａ〜１２４ｃをニッパー等で切断し、シールカバー３７を、結合ピン１２３と一体の封止カバー部１２１ｂのみを残して主基板ケース１４から取り外す（図１６）。そして、ＩＣタグシール３６を、例えば裏ケース側貼付面５５ａと表ケース側貼付面５５ｂとの境界線に沿ってカッターナイフ等により切断する（図１６）。これにより、主基板ケース１４は、シールカバー３７による封止状態、及びＩＣタグシール３６による封印状態が解除される。
【００９１】
（Ｂ３）主基板ケース１４の開封
続いて、連結部材３５の第２連結バンド部１１２を切断して主基板ケース１４と閉鎖封止部材３３との連結を解除した上で、第１表ケース側封止装着部６３ｂの連結リブ９０ａ〜９０ｄをニッパー等の切断工具を用いて切断し、その第１表ケース側封止装着部６３ｂを閉鎖封止部材３３と共に表ケース体３２から取り外す（図１７（ａ），（ｂ））。これにより、主基板ケース１４の閉鎖封止状態が解除されるため、裏ケース体３１を表ケース体３２に対して閉鎖アンロック状態側にスライドさせることにより主基板ケース１４を開封することができる。
【００９２】
（Ｃ１）２回目の主基板ケース１４の封止
本実施形態の主基板ケース１４は、一度開封された後、その痕跡を残した状態でもう一度封止を行うことができるようになっている。以下、図１８〜図２１を参照しつつその２回目の封止、開封手順について簡単に説明する。なお、シールカバー３７は１回目の開封時に損壊させたため、２回目の封止時にこれを再び装着することはできない。また、２回目の封止には装着封止部材３４は使用しない。
【００９３】
まず、１回目の封止時と同じように、表ケース体３２を裏ケース体３１に対して前側から嵌め合わせて閉鎖アンロック状態とした後、表ケース体３２を裏ケース体３１に対して右向きにスライドさせて閉鎖ロック状態とする。このとき、装着封止部材３４は第２裏ケース側封止装着部６４ａ内へは挿入しない。
【００９４】
続いて、１回目の開封時に表ケース体３２から取り外した閉鎖封止部材３３を、今回は第１封止装着部６３ではなく第２封止装着部６４に挿入する（図１８）。なお、第２封止装着部６４を構成する第２表ケース側封止装着部６４ｂは、１回目の開封時に閉鎖蓋９２が除去されているため、その開口から閉鎖封止部材３３を挿入することができる。これにより、第２裏ケース側封止装着部６４ａと第２表ケース側封止装着部６４ｂとが閉鎖スライド方向に相対移動不可能となるため、裏ケース体３１と表ケース体３２とは閉鎖ロック状態で保持される。しかも抜け止め係合爪１０３は第２裏ケース側封止装着部６４ａによって覆われた状態となるため、外部から抜け止め係合爪１０３の係合を解除して閉鎖封止部材３３を抜き取ることはできず、従って主基板ケース１４は閉鎖アンロック状態側へのスライドが解除不能に阻止された閉鎖封止状態となる。
【００９５】
（Ｃ２）２回目の主基板ケース１４の取付ベース３０への装着・封止
次に、主基板ケース１４を、その裏側の突起部１４５（図７）をニッパー等により除去した上で取付ベース３０に嵌め込んで装着アンロック状態とし、上下の仮固定フック１３５，１３６により仮固定する。そして、主基板ケース１４を取付ベース３０に対して第２装着ロック状態側、即ち１回目とは逆の左向きにスライドさせる。このとき、スライド規制部１４４に対応する突起部１４５が既に除去されているため、その第２装着ロック状態側へのスライドが阻止されることはない。
【００９６】
これにより、主基板ケース１４側の第２装着封止突起部７０が第２装着封止係合爪１３８に係合し、装着アンロック状態側へのスライドが阻止される（図１９）。しかも、外部から第２装着封止係合爪１３８の係合を解除することはできず、従って主基板ケース１４は取付ベース３０に対して装着アンロック状態側へのスライドが解除不能に阻止された装着封止状態となる。
【００９７】
（Ｄ１）２回目の主基板ケース１４の取り外し
以上のようにして取付ベース３０に装着された主基板ケース１４を取り外す際には、まず第１封止装着部６３内にドライバー等の工具を挿入して開口蓋６９を突き破り、開口蓋６９を除去して開口部６９ｂを形成する（図２０）。そして、その開口部６９ｂを通して第２装着封止係合爪１３８を押圧して第２装着封止突起部７０への係合を解除しつつ主基板ケース１４を取付ベース３０に対して装着アンロック状態側にスライドさせることにより取付ベース３０から取り外すことができる。
【００９８】
この２回目の主基板ケース１４の取り外し後も、取付ベース３０は主基板ケース１４が装着、封止される前の状態と何ら異なるところはないため、例えば取り外した主基板ケース１４を新たな主基板ケース１４に交換する場合には、その新たな主基板ケース１４の取り付けのために引き続き利用することができる。
【００９９】
（Ｄ２）２回目の主基板ケース１４の開封
続いて、第２表ケース側封止装着部６４ｂの連結リブ９０ａ〜９０ｄをニッパー等の切断工具を用いて切断し、その第２表ケース側封止装着部６４ｂを閉鎖封止部材３３と共に表ケース体３２から取り外す（図２１）。これにより、主基板ケース１４の閉鎖封止状態が解除されるため、裏ケース体３１を表ケース体３２に対して閉鎖アンロック状態側にスライドさせることにより主基板ケース１４を開封することができる。
【０１００】
以上説明したように、本実施形態のスロットマシンでは、装着封止手段４７，４８は、取付ベース３０上の第１，第２装着封止係合爪１３７，１３８と、主基板ケース１４上の第１，第２装着封止突起部１０８，７０とで構成されると共に、主基板ケース１４が取付ベース３０に装着された状態で、第１，第２装着封止突起部１０８，７０が第１，第２装着封止係合爪１３７，１３８に係合して、主基板ケース１４の取付ベース３０に対する取り外し方向の移動を阻止するように構成され、主基板ケース１４上には、主基板ケース１４が取付ベース３０に装着された状態で外部から損壊可能な閉鎖蓋９２，開口蓋６９が一体に設けられ、それら閉鎖蓋９２，開口蓋６９が損壊されることにより、第１，第２装着封止突起部１０８，７０の第１，第２装着封止係合爪１３７，１３８に対する係合を解除可能となるように構成されているため、主基板ケース１４の取り外し後も取付ベース３０は主基板ケース１４が装着、封止される前の状態と何ら異なるところはなく、例えば取り外した主基板ケース１４を新たな主基板ケース１４に交換する場合には取付ベース３０についてはそのまま使用することが可能である。
【０１０１】
図２２〜図２４は本発明の第２の実施形態を例示し、主基板ケース１４を閉状態で封止する閉鎖封止部材３３に突起部１０８を設け、この閉鎖封止部材３３に、第１の実施形態における装着封止部材３４の機能をも持たせた例を示している。
【０１０２】
図２２に示すように、本実施形態の閉鎖封止部材３３には、挿通軸部１０１の挿入方向先端側に、第１の実施形態の装着封止部材３４に設けられていた第１装着封止突起部１０８と同様の装着封止突起部１０８が一体に設けられている。また、主基板ケース１４上の第１封止装着部６３には、第１裏ケース側封止装着部６３ａの底板部６６上に、第１の実施形態における第２裏ケース側封止装着部６４ａに設けられていたものと同様の貫通孔６８が形成されており、閉鎖封止部材３３を第１封止装着部６３に装着したとき、突起部１０８がこの貫通孔６８から裏側に突出するようになっている。
【０１０３】
また、取付ベース３０上には、図２３に示すように第１の実施形態と同様の第１装着封止係合爪１３７が、主基板ケース１４上の第１封止装着部６３に対応して設けられている。なお、本実施形態では、これら第１封止装着部６３と第１装着封止係合爪１３７との組み合わせと全く同様の構成を有する第２封止装着部と第２装着封止係合爪とが別途設けられているものとする（図示省略）。
【０１０４】
なお、本実施形態では、装着封止突起部１０８と第１装着封止係合爪１３７とが第１装着封止手段４７を、装着封止突起部１０８と第２装着封止係合爪とが第２装着封止手段４８を夫々構成している。
【０１０５】
以上のような主基板ケース１４を閉鎖・封止する際には、主制御基板１３を装着した表ケース体３２を裏ケース体３１に対して前側から嵌め合わせて閉鎖アンロック状態とする（図２２（ａ））。このとき、裏ケース体３１側の第１裏ケース側封止装着部６３ａと表ケース体３２側の第１表ケース側封止装着部６３ｂとは互いの軸が閉鎖スライド方向にずれた状態となっている。
【０１０６】
続いて、表ケース体３２を裏ケース体３１に対して右向きにスライドさせて閉鎖ロック状態とする（図２２（ａ）→（ｂ））。これにより、裏ケース体３１側の第１裏ケース側封止装着部６３ａと表ケース体３２側の第１表ケース側封止装着部６３ｂとが閉鎖スライド方向に対して直交する前後方向に互いに合致した状態となる。
【０１０７】
そして、閉鎖封止部材３３を第１封止装着部６３に挿入し、抜け止め係合爪１０３を第１表ケース側封止装着部６３ｂの裏側端部に係合させる（図２２（ｂ）→（ｃ））。これにより、第１裏ケース側封止装着部６３ａと第１表ケース側封止装着部６３ｂとは閉鎖スライド方向に相対移動不可能となるため、裏ケース体３１と表ケース体３２とは閉鎖ロック状態に保持される。またこのとき、閉鎖封止部材３３の装着封止突起部１０８が、貫通孔６８を貫通して主基板ケース１４の裏側に突出した状態となる。
【０１０８】
このようにして封止された主基板ケース１４を取付ベース３０に装着する際には、まず主基板ケース１４を取付ベース３０の前側に嵌め込み（図２３（ａ））、右向きにスライドさせて第１装着ロック状態とする（図２３（ｂ））。このとき、主基板ケース１４側の装着封止突起部１０８が第１装着封止係合爪１３７に係合し、装着アンロック状態側へのスライドが阻止される。しかも、外部から第１装着封止係合爪１３７の係合を解除することはできず、従って主基板ケース１４は取付ベース３０に対して装着アンロック状態側へのスライドが解除不能に阻止された装着封止状態となる。
【０１０９】
以上のようにして取付ベース３０に装着・封止された主基板ケース１４を取り外す際には、第１表ケース側封止装着部６３ｂを表ケース体３２に連結している連結リブ（被損壊部）９０ａ〜９０ｄをニッパー等の切断工具を用いて切断し、その第１表ケース側封止装着部６３ｂを閉鎖封止部材３３と共に表ケース体３２から取り外す（図２４）。これにより、第１装着封止係合爪１３７に係合していた装着封止突起部１０８がなくなって装着封止状態が解除され、また同時に主基板ケース１４の閉鎖封止状態も解除される。従って、主基板ケース１４を取付ベース３０に対して装着アンロック状態側にスライドさせることにより取付ベース３０から取り外すことができ、更に取付ベース３０から取り外された主基板ケース１４は、裏ケース体３１を表ケース体３２に対して閉鎖アンロック状態側にスライドさせることにより開封することができる。
【０１１０】
また本実施形態においても、取付ベース３０は主基板ケース１４が装着、封止される前の状態と何ら異なるところはないため、例えば取り外した主基板ケース１４を新たな主基板ケース１４に交換する場合には、その新たな主基板ケース１４の取り付けのために引き続き利用することができる。
【０１１１】
なお、取り外された閉鎖封止部材３３と、残りの第２封止装着部６４及び第２装着封止係合爪１３８を用いて上記と同じ手順で再び主基板ケース１４の封止及び取付ベース３０への装着・封止を行うことができる。
【０１１２】
以上、本発明の実施形態について詳述したが、本発明はこれらの実施形態に限定されるものではなく、本発明の趣旨を逸脱しない範囲で種々の変更が可能である。例えば、実施形態では係合部１３７，１３８を突起部１０８，７０に係合しない退避状態側に弾性変形可能に構成し、基板ケース１４を取付ベース３０に装着することにより自動的に突起部１０８，７０が係合部１３７，１３８に係合するように構成したが、基板ケース１４を取付ベース３０に装着した後に、突起部を係合部に現状復帰不能に係合させるように構成してもよい。例えば第２の実施形態の場合、基板ケース１４を取付ベース３０に装着した後で閉鎖封止部材３３を第１封止装着部６３に挿入するようにすれば、係合部１３７は取付ベース３０上に弾性変形不可能な状態で設けることが可能である。
【０１１３】
閉鎖封止部材３３による基板ケース１４の封止方法は任意であり、例えば特許文献１に記載された発明と同様、乙ケース体側に設けられた閉鎖封止部材を甲ケース体側の被結合部に現状復帰不能に結合させることにより、甲ケース体と乙ケース体とを閉状態で封止し、開封する際には、封止部材を乙ケース体側に連結している被損壊部を損壊することにより、封止部材を乙ケース体から切り離して甲ケース体と乙ケース体との結合を解除するように構成してもよい。
【０１１４】
基板ケースの構成も任意であり、例えば甲ケース体と乙ケース体とを基板の左右両側、又は上下両側から嵌め合わせるように構成してもよい。なお、コネクタカバー、シールカバー等は必須の構成ではなく、省略してもよい。
【０１１５】
基板ケースは主制御基板１３を格納するものに限られず、例えば演出制御基板を格納する演出基板ケース、払い出し制御基板を格納する払い出し基板ケース等についても同様に実施可能である。更に、実施形態では本発明をスロットマシンに適用した例を示したが、パチンコ機、アレンジボール機等の各種遊技機において同様に実施可能であることは言うまでもない。
【符号の説明】
【０１１６】
１３    主制御基板（基板）
１４    主基板ケース（基板ケース）
３０    取付ベース
３１    裏ケース体（甲ケース体）
３２    表ケース体（乙ケース体）
３３    閉鎖封止部材
３４    装着封止部材
４７    第１装着封止手段（装着封止手段）
４８    第２装着封止手段（装着封止手段）
６９    開口蓋（被損壊部）
７０    第２装着封止突起部（突起部）
９０ａ  連結リブ（被損壊部）
９０ｂ  連結リブ（被損壊部）
９０ｃ  連結リブ（被損壊部）
９０ｄ  連結リブ（被損壊部）
９２    閉鎖蓋（被損壊部）
１０８    第１装着封止突起部（突起部）
１３７    第１装着封止係合爪（係合部）
１３８    第２装着封止係合爪（係合部）
【図１】
2011156143.tif 000003
【図２】
2011156143.tif 000004
【図３】
2011156143.tif 000005
【図４】
2011156143.tif 000006
【図５】
2011156143.tif 000007
【図６】
2011156143.tif 000008
【図７】
2011156143.tif 000009
【図８】
2011156143.tif 000010
【図９】
2011156143.tif 000011
【図１０】
2011156143.tif 000012
【図１１】
2011156143.tif 000013
【図１２】
2011156143.tif 000014
【図１３】
2011156143.tif 000015
【図１４】
2011156143.tif 000016
【図１５】
2011156143.tif 000017
【図１６】
2011156143.tif 000018
【図１７】
2011156143.tif 000019
【図１８】
2011156143.tif 000020
【図１９】
2011156143.tif 000021
【図２０】
2011156143.tif 000022
【図２１】
2011156143.tif 000023
【図２２】
2011156143.tif 000024
【図２３】
2011156143.tif 000025
【図２４】
2011156143.tif 000026